(57)【特許請求の範囲】
【請求項１】
顕微鏡本体と、標本が収容された容器を載置するステージと、前記標本の像を拡大して観察する観察光学系と、を備えた顕微鏡装置において、
前記顕微鏡本体は、ベース部と、前記ステージを固定するステージ固定部と、前記ベース部の前側側面より前面かつ上方に延出して鏡筒を保持するとともに、前記観察光学系の一部を収容する鏡筒保持部とを有し、
前記ベース部の底面の少なくとも前面側に脚部が設けられるとともに、背面側に前記脚部の材料より摩擦係数または表面粗さが小さい材料から形成された設置部が設けられ、
前記ベース部の前側側面の上方には、前記ステージまたは前記ステージ上面高さ以下の凹部が配設されていることを特徴とする顕微鏡装置。
【請求項２】
前記観察光学系は、前記ステージ前面より前方、かつ前記ステージ上面より上方に標本の像を結像させることを特徴とする請求項１に記載の顕微鏡装置。
【請求項３】
前記ベース部の前記鏡筒保持部側の真上に配置された前記ステージの高さは、２００ｍｍ以下であることを特徴とする請求項１または２に記載の顕微鏡装置。
【請求項４】
前記鏡筒保持部は把持部を有することを特徴とする請求項１〜３のいずれか一つに記載の顕微鏡装置。
【請求項５】
前記ステージ固定部は、前側固定部および後側固定部からなり、
前記ベース部の底面の前面側に前側脚部が設けられるとともに、背面側に後側脚部が設けられ、
前記ベース部の背面側であって、前記後側固定部の下端に前記前側脚部および前記後側脚部の材料より摩擦係数または表面粗さが小さい材料から形成された設置部が設けられることを特徴とする請求項１〜４のいずれか一つに記載の顕微鏡装置。
【請求項６】
前記設置部は円弧状をなすことを特徴とする請求項５に記載の顕微鏡装置。
【請求項７】
顕微鏡本体と、標本が収容された容器を載置するステージと、前記標本の像を拡大して観察する観察光学系と、を備え、作業台に設置される顕微鏡装置において、
前記顕微鏡本体は、ベース部と、前記ステージを固定する前側固定部および後側固定部と、前記ベース部の前側側面より前面かつ上方に延出して鏡筒を保持するとともに、前記観察光学系の一部を収容する鏡筒保持部と、前記鏡筒保持部の前面側に設けられ、ユーザーが前記顕微鏡装置を移動する場合に把持するため把持部と、を有し、
前記ベース部の底面の前面側に前側脚部が設けられるとともに、背面側に後側脚部が設けられ、
前記ベース部の背面側であって、前記後側固定部の下端に前記前側脚部および前記後側脚部の材料より摩擦係数または表面粗さが小さい材料から形成された設置部が設けられることを特徴とする顕微鏡装置。
【請求項８】
前記設置部は、前記顕微鏡装置が前記作業台に設置された状態では前記設置部は作業台と非接触であり、ユーザーが顕微鏡装置を移動する場合は接触状態となる位置に配置されていることを特徴とする請求項７に記載の顕微鏡装置。
【発明の詳細な説明】
【技術分野】
【０００１】
本発明は、安全キャビネットまたはクリーンベンチで使用される顕微鏡装置に関する。
【背景技術】
【０００２】
従来、細胞の状態確認を行うために小型の倒立顕微鏡が用いられている（例えば、特許文献１参照）。検鏡者はインキュベータから出した標本をステージ上に配置し、手で標本の位置を合わせた後、焦準ハンドルを回して対物レンズを上下させることによりピントを合わせて手早く観察を行う。観察の際、検鏡者は観察姿勢を維持したままステージ上面に手を置き、接眼レンズを覗きながら作業を行う。
【０００３】
倒立顕微鏡での細胞観察作業は通常実験室で行われるが、細胞に雑菌が混入すると（以下、「コンタミ」という）、正常な細胞観察が行えないため、安全キャビネットやクリーンベンチで細胞観察を行いたいという要求が高い。特に、細胞の継代、細胞数のカウント、特定細胞のピッキング等では、標本である細胞を収容した容器の蓋をあけて作業を行う必要があるため、この要求が高い。
【０００４】
クリーンベンチ内で顕微鏡を使用する技術として、クリーンベンチ内に顕微鏡を設置する際、対物レンズの下方の作業台、すなわち、ステージが作業室内の作業面と面一状態になるようヒータとともに埋設して下壁全体を加温可能とするとともに、顕微鏡に画像取込装置を連接して、画像取込装置に接続したモニタ画面を作業室内の壁面に埋設したクリーンベンチが開示されている（例えば、特許文献２参照）。
【先行技術文献】
【特許文献】
【０００５】
【特許文献１】特開２００４−１０９９１９号公報
【特許文献２】特許第４３８７５２５号公報
【発明の概要】
【発明が解決しようとする課題】
【０００６】
特許文献２では、クリーンベンチ内で顕微鏡観察は可能であるものの、検鏡者が接眼レンズを覗きながら観察を行うことはできず、目視の感覚に基づき細胞観察を行いたいという検鏡者の要求にこたえることはできない。また、顕微鏡はクリーンベンチから着脱自在であるものの、顕微鏡のステージやヒータ等を下壁等に埋設しているため、高価となりやすく、また、クリーンベンチ外で顕微鏡を使用することもできない。
【０００７】
特許文献１に示すような一般的な倒立顕微鏡において、検鏡者が接眼レンズを覗きながら観察を行う場合、顕微鏡本体のベース部の真上に高さが４００ｍｍ程度になる鏡筒が配設されるため、ベース部全体をクリーンベンチ内に載置すると、鏡筒部分もクリーンベンチ内に位置することになり、前面シャッタを所定の位置まで下げることができず、コンタミをおこすリスクが高い。
【０００８】
一方、クリーンベンチの前面シャッタの一部に開口部を設け、クリーンベンチの作業室内に載置した顕微鏡の接眼レンズのみを、該開口部からクリーンベンチ外にはみださせて観察可能とするクリーンベンチも提案されている。しかしながら、コンタミ防止のために透明シートを介した観察となるため観察しづらく、また、前面シャッタの開閉もしにくいため顕微鏡を破損する恐れもある。
【０００９】
本発明は、上記に鑑みてなされたものであって、クリーンベンチや安全キャビネットで観察する場合に、コンタミ等のリスクを低減しながら、検鏡者が接眼レンズにより直接観察を行うことができる顕微鏡装置を提供することを目的とする。
【課題を解決するための手段】
【００１０】
上述した課題を解決し、目的を達成するために、本発明に係る顕微鏡装置は、顕微鏡本体と、標本が収容された容器を載置するステージと、前記標本の像を拡大して観察する観察光学系と、を備えた顕微鏡装置において、前記顕微鏡本体は、ベース部と、前記ステージを固定するステージ固定部と、前記ベース部の前側側面より前面かつ上方に延出して鏡筒を保持するとともに、前記観察光学系の一部を収容する鏡筒保持部とを有し、前記ベース部の底面の少なくとも前面側に脚部が設けられるとともに、前記ベース部の底面の背面側に前記脚部の材料より摩擦係数または表面粗さが小さい材料から形成された設置部が設けられ、前記ベース部の前側側面の上方には、前記ステージまたは前記ステージ上面高さ以下の凹部が配設されていることを特徴とする。
加えて前面シャッタを作業ができる程度まで閉めた時に設置面に接する顕微鏡本体の脚部がクリーンベンチや安全キャビネットの端面から突出しないことも特徴とする。
【００１１】
また、本発明に係る顕微鏡装置は、上記発明において、前記観察光学系は、前記ステージ前面より前方、かつ前記ステージ上面より上方に標本の像を結像させることを特徴とする。
【００１２】
また、本発明に係る顕微鏡装置は、上記発明において、前記ベース部の前記鏡筒保持部側の真上に配置された前記ステージ、または前記鏡筒保持部の凹部の高さは、２００ｍｍ以下であることを特徴とする。
【００１３】
また、本発明に係る顕微鏡装置は、上記発明において前記鏡筒保持部は把持部を有することを特徴とする。
また、本発明に係る顕微鏡装置は、上記発明において、前記ステージ固定部は、前側固定部および後側固定部からなり、前記ベース部の底面の前面側に前側脚部が設けられるとともに、背面側に後側脚部が設けられ、前記ベース部の背面側であって、前記後側固定部の下端に前記前側脚部および前記後側脚部の材料より摩擦係数または表面粗さが小さい材料から形成された設置部が設けられることを特徴とする。
また、本発明に係る顕微鏡装置は、上記発明において、前記設置部は円弧状をなすことを特徴とする。
【００１４】
また、本発明に係る顕微鏡装置は、顕微鏡本体と、標本が収容された容器を載置するステージと、前記標本の像を拡大して観察する観察光学系と、を備え、作業台に設置される顕微鏡装置において、前記顕微鏡本体は、ベース部と、前記ステージを固定する前側固定部および後側固定部と、前記ベース部の前側側面より前面かつ上方に延出して鏡筒を保持するとともに、前記観察光学系の一部を収容する鏡筒保持部と、前記鏡筒保持部の前面側に設けられ、ユーザーが前記顕微鏡装置を移動する場合に把持するため把持部と、を有し、前記ベース部の底面の前面側に前側脚部が設けられるとともに、背面側に後側脚部が設けられ、前記ベース部の背面側であって、前記後側固定部の下端に前記前側脚部および前記後側脚部の材料より摩擦係数または表面粗さが小さい材料から形成された設置部が設けられることを特徴とする。
前記設置部は、前記顕微鏡装置が前記作業台に設置された状態では前記設置部は作業台と非接触であり、ユーザーが顕微鏡装置を移動する場合は接触状態となる位置に配置されていることを特徴とする。
【発明の効果】
【００１５】
本発明に係る顕微鏡装置は、クリーンベンチや安全キャビネットにおいて、コンタミやウイルス拡散のリスクを低減しながら、検鏡者が接眼レンズにより直接観察を行うことができるという効果を奏する。
【図面の簡単な説明】
【００１６】
【図１】図１は、本発明の実施の形態１にかかる顕微鏡装置を設置したクリーンベンチの全体図である。
【図２】図２は、本発明の実施の形態１に係る顕微鏡装置の概略構成を示す図である。
【図３】図３は、図２の顕微鏡装置の脚部近傍の拡大図である。
【図４】図４は、図２の顕微鏡装置の底面図である。
【図５】図５は、図２の顕微鏡装置の移動を説明する図である。
【図６】図６は、本発明の実施の形態２に係る顕微鏡装置の概略構成を示す図である。
【図７】図７は、本発明の実施の形態３に係る顕微鏡装置の概略構成を示す図である。
【図８】図８は、図７の顕微鏡装置の移動を説明する図である。
【図９】図９は、本発明の実施の形態４に係る顕微鏡装置の概略構成を示す図である。
【発明を実施するための形態】
【００１７】
以下に、本発明の実施の形態にかかる顕微鏡装置を図面に基づいて詳細に説明する。以下、本実施の形態にかかる顕微鏡装置をクリーンベンチで使用する場合について説明するが、本実施の形態にかかる顕微鏡装置は安全キャビネットにおいても同様に使用することができる。なお、実施の形態によりこの発明が限定されるものではない。さらに、図面の記載において、同一部分には同一の符号を付している。さらにまた、図面は、模式的なものであり、各部材の厚みと幅との関係、各部材の比率等は、現実と異なることに留意する必要がある。また、図面の相互間においても、互いの寸法や比率が異なる部分が含まれている。
【００１８】
（実施の形態１）
図１は、本発明の実施の形態１にかかる顕微鏡装置を設置したクリーンベンチの全体図である。本明細書において、検鏡者が観察のために位置する側（鏡筒が取り付けられる側）を顕微鏡装置の前面、前面と対向する側（照明支柱が取り付けられる側）を顕微鏡装置の背面とする。
【００１９】
顕微鏡装置１００は、図１に示すようなクリーンベンチ１３０内で使用される。クリーンベンチ１３０には、前面シャッタ１３１が設けられ、作業室１３２内の上部から清浄な空気が供給されるとともに、作業台１３３の開口部１３４側に設けられる吸気ダクト１３５（図２参照）から空気を吸気することにより生じるエアカーテンにより、外部から作業室内１３２へのコンタミを防止する。作業台１３３の表面は、滅菌と強度維持のためにステンレスにより構成されている。
【００２０】
前面シャッタ１３１は、開口部１３４の高さｈ１が５００ｍｍ程度まで開閉可能となっており、前面シャッタ１３１を上限まで開けた状態で作業台１３３に顕微鏡装置１００等の物品が搬入される。顕微鏡装置１００による観察が行われる場合、外部から作業室１３２内へのコンタミを回避するために、開口部１３４の高さは上腕を入れられる２００ｍｍ程度に設定され（特許第５４１９６３号公報参照）、前面シャッタ１３１は開口部１３４の高さが２００ｍｍ程度まで降ろした状態で使用される。
【００２１】
図２は、本発明の実施の形態１にかかる顕微鏡装置の概略構成を示す図である。顕微鏡装置１００は、顕微鏡本体１０１と、標本が収容される容器１０３が載置されるステージ１０２と、ステージ１０２の上方に配置される照明部１０５と、照明部１０５からの照明光を標本に集光するコンデンサ１０６と、照明部１０５とコンデンサ１０６とを保持する照明支柱１０４と、標本の像を拡大して観察する観察光学系とを備える。実施の形態１に係る顕微鏡装置１００は、ステージ１０２上方に配置された照明部１０５からの照明光をコンデンサ１０６により標本に照射し、標本を透過した観察像をステージ１０２の下部に配置された対物レンズ１０７、反射ミラー１１０、図示しないリレー光学系および接眼レンズ１１２からなる観察光学系により拡大観察する倒立顕微鏡である。観察光学系は、ステージ１０２前面より前方、かつステージ１０２上面より上方に標本の像を結像させる。
【００２２】
顕微鏡本体１０１は、ステージ１０２を固定する前側固定部１０１ａおよび後側固定部１０１ｂと、ベース部１０１ｄの前側側面より前面かつ上方に延出して鏡筒を保持するとともに、図示しないリレー光学系を内設する鏡筒１１３を保持する鏡筒保持部１０１ｃと、ベース部１０１ｄと、を有する。
【００２３】
ステージ１０２には、標本を収容するシャーレ、ウエルプレート、フラスコ等の容器１０３が載置される。
【００２４】
照明部１０５は、透過照明用の光源であり、ハロゲンランプや水銀ランプ等が用いられる。また、照明支柱１０４は、光軸Ｏ上に配置されるようにコンデンサ１０６を保持し、照明支柱１０４により保持されたコンデンサ１０６は、照明部１０５からの照明光を標本に集光する。
【００２５】
ステージ１０２の下方には、対物レンズ１０７が配置される。対物レンズ１０７は、倍率の異なる複数本(図面では１本のみを示している)がレボルバ１０８に保持されている。レボルバ１０８は、回転操作可能になっていて、レボルバ１０８を回転することにより、複数本の対物レンズ１０７を択一的に光軸Ｏ上に位置させる。また、レボルバ１０８は、顕微鏡本体１０１  に図示しない保持部材を介して保持されるとともに、焦準ハンドル１０９の操作により光軸Ｏに沿って上下動され、ステージ１０２と対物レンズ１０７との相対距離を変化させ、標本のピント合わせを可能にしている。レボルバ１０８下方の光軸Ｏ上には、反射ミラー１１０が設けられている。反射ミラー１１０は、標本を透過し対物レンズ１０７より拡大された観察像を斜め上方向（  水平に対し４５  °の角度）に反射させる。反射ミラー１１０により反射された観察像は、図示しないリレー光学系でリレーされ、鏡筒１１３に取り付けられた接眼レンズ１１２に入射されて、検鏡者により観察像が目視観察される。
【００２６】
ベース部１０１ｄの底面には、図３および図４に示すように、第１の脚部１２０および第２の脚部１２１が設けられる。図３は、図２の顕微鏡装置の脚部近傍の拡大図である。図４は、図２の顕微鏡装置の底面図である。前面側の第１の脚部１２０は防振部材から形成され、設置部として機能する背面側の第２の脚部１２１は、防振部材からなる防振部１２１ａの作業台１３３と接する側に平滑部１２１ｂが形成されている。第１の脚部１２０および第２の脚部１２１とベース部１０１ｄ、防振部１２１ａと平滑部１２１ｂはそれぞれ接着剤で固定されている。平滑部１２１ｂは、防振部１２１ａの材料である防振部材より摩擦係数または表面粗さが小さい材料から形成されている。平滑部１２１ｂは、ポリアセタールのように滑り性が良好で、耐摩耗性が高いものを使用することが好ましい。第１の脚部１２０および第２の脚部１２１として防振部材を使用することにより、クリーンベンチ１３０の作業台１３３を介した顕微鏡装置１００への振動の伝播を防止できるので、観察像の振動が抑止され、観察が容易となる。また、第１の脚部１２０および第２の脚部１２１により、ベース部１０１ｄと作業台１３３との間に隙間ができるため、吸気ダクト１３５からの吸気を妨げることもない。
【００２７】
ベース部１０１ｄの前面側に設けられる第１の脚部１２０の取り付けピッチＰ１は、図４に示すように、背面側に設けられる第２の脚部１２１の取り付けピッチＰ２より小さい。また、背面側の２つの第２の脚部１２１と鏡筒保持部１０１ｃとで、鏡筒保持部１０１ｃの前面側を頂点とする二等辺三角形を形成するように、第２の脚部１２１は配置されている。
【００２８】
顕微鏡装置１００は、クリーンベンチ１３０の開口部１３４（最大高さ５００ｍｍ）を介して搬入するために、第１の脚部１２０および第２の脚部１２１から照明部１０５までの総高さが４５０ｍｍ前後である。また、顕微鏡装置１００の第１の脚部１２０および第２の脚部１２１からステージ１０２上面までの高さｈ２は、２００ｍｍ以下である。ｈ２程度の高さに前面シャッタ１３１を閉じることで、作業室１３２内で顕微鏡観察を行いながら、コンタミを防止することが可能となる。
【００２９】
顕微鏡装置１００によりクリーンベンチ１３０内で観察を行う際には、図２に示すように、鏡筒保持部１０１ｃの前側を開口部１３４から作業室１３２外にはみ出させて、検鏡者が直接接眼レンズ１１２により観察可能とする。その際、前面シャッタ１３１はステージ１０２の前面側周辺まで降ろされ、ベース部１０１ｄの前面側は作業台１３３の内、換言すれば、前面側の第１の脚部１２０は、作業台１３３上に載置されている。本実施の形態１では、第１の脚部１２０の上方に鏡筒保持部１０１ｃが設けられている。図から明らかな通り前面シャッタ１３１はステージ１０２上面近傍まで下げることができる。ステージ１０２上面高さｈ２は２００ｍｍ程度である。このため、観察を行いながら、ウイルス等の外部への漏れを回避できる開口部１３４の高さである２００ｍｍ程度まで、前面シャッタ１３１を降ろすことが可能となる。
内部光学径の光束径や、鏡筒保持部１０１ｃの大きさから実際は、第１の脚部１２０の図中右側端面と前面シャッタ１３１図中右側端面の距離γは５ｍｍ程度以下が望ましい。言うまでもなく、第１の脚部１２０は顕微鏡装置１００が倒れない範囲でなるべく図左側に配置した方が鏡筒１１３とクリーンベンチ１３０の作業台１３３の前側端面との距離を長く取れる。
【００３０】
前面シャッタ１３１を鏡筒保持部１０１ｃに降ろし、開口部１３４の高さｈ２を２００ｍｍ程度にした状態で、検鏡者は、インキュベータから出した標本を収容した容器１０３を、ステージ１０２上に配置し、手で容器１０３の位置を合わせ、接眼レンズ１１２で観察しながら、顕微鏡装置１００の焦準ハンドル１０９を回し、対物レンズ１０７を動かしてピントを合わせて素早く観察を行う。検鏡者は、２００ｍｍ程度の開口部１３４から手を挿入し、作業室内に肘から先を入れた状態で上記の操作を行う。
【００３１】
顕微鏡装置１００による観察の終了後、作業室１３２内に顕微鏡装置１００を収容する場合、前面シャッタ１３１を上側に引き上げた後、鏡筒保持部１０１ｃに設けられる把持部１０１ｅを手で持ち上げ、図５に示すように設置部として機能する第２の脚部１２１のみが作業台１３３と接するように顕微鏡装置１００を傾けながら、作業室１３２内に押し入れる。図５は、図２の顕微鏡装置の移動を説明する図である。第２の脚部１２１は、防振部材からなる防振部１２１ａの作業台１３３側に平滑部１２１ｂが形成されているため、小さな力で顕微鏡装置１００を作業台１３３上で移動させることができる。また、顕微鏡装置１００の重心は、第２の脚部１２１と鏡筒保持部１０１ｃとにより形成される三角形の内部に配置されるため、検鏡者は、顕微鏡装置１００を傾けた状態で容易に移動することができる。なお、作業室１３２内に収容した顕微鏡装置１００を、観察のために作業台１３３の開口部近傍に移動させる場合も、鏡筒保持部１０１ｃに設けられる把持部１０１ｅを手で持ち上げ、第２の脚部１２１のみが作業台１３３と接するように顕微鏡装置１００を傾けながら、開口部１３４側に引き出すことにより容易に移動することができる。
【００３２】
実施の形態１では、前面シャッタ１３１を高さが２００ｍｍ程度に降ろすことができるため、作業室１３２内へのコンタミのリスクを低減することができる。また、検鏡者は、接眼レンズ１１２を介して直接観察が可能となり、間接的に観察するためのカメラ等が不要となる。また、顕微鏡観察をしながら実験を行う場合、顕微鏡観察後、ただちに作業に取り掛かることができるため、短時間に効率よく実験を行うことが可能となる。
また、図２で示す通り第１の脚部１２０をさらに顕微鏡装置の背面側に配置し、ステージ１０２を顕微鏡装置の前面側に延長させても良い。この場合、ベース部１０１ｄの前側（鏡筒保持部１０１ｃ側）側面の上方にステージ１０２が設けられているため、作業台１３３の開口部１３４近傍に顕微鏡装置１００を載置した場合であっても、前面シャッタ１３１をステージ１０２上に降ろすことができる。顕微鏡装置１００は、第１の脚部１２０および第２の脚部１２１からステージ１０２上面までの高さｈ２を２００ｍｍ以下としているため、コンタミのリスクをさらに減らすことができる。
【００３３】
（実施の形態２）
実施の形態２にかかる顕微鏡装置は、ベース部の前側（鏡筒保持部側）側面の上方に鏡筒保持部の凹部が配設されている。図６は、本発明の実施の形態２に係る顕微鏡装置の概略構成を示す図である。実施の形態２において、実施の形態１と同様の構成には同様の符号を付し、説明を省略する。
【００３４】
実施の形態２にかかる顕微鏡装置１００Ａにおいて、鏡筒保持部１０１ｃには凹部１０１ｆが設けられている。この凹部１０１ｆは、ベース部１０１ｄの前側（鏡筒保持部１０１ｃ側）側面の上方に設けられ、凹部１０１ｆの作業台１３３からの高さｈ３は、ステージ１０２の上面よりも低い。
【００３５】
クリーンベンチ１３０内で顕微鏡装置１００Ａにより観察を行う際、図６に示すように、鏡筒保持部１０１ｃが開口部１３４から作業室１３２外にはみ出すように、顕微鏡装置１００Ａを作業台１３３の開口部１３４近傍に配置する。顕微鏡装置１００Ａを作業台１３３の開口部１３４近傍に配置すると、鏡筒保持部１０１ｃの凹部１０１ｆに前面シャッタ１３１を降ろすことができる。実施の形態２では、凹部１０１ｆの高さｈ３は、高さが２００ｍｍ以下のステージ１０２上面より低いため、開口部１３４の高さを２００ｍｍ以下とすることができる。これにより、接眼レンズ１１２により直接観察を行いながら、作業室１３２内へのコンタミのリスクを軽減することもできる。なお、凹部１０１ｆの高さは、ステージ１０２上面と同じ高さか、それより小さければよいが、開口部１３４を介して作業を行う観点から、１５０ｍｍ程度が下限である。
【００３６】
（実施の形態３）
実施の形態３にかかる顕微鏡装置は、ベース部の背面側であってステージの後側固定部の下端に、円弧状をなす設置部が一体的に設けられている。図７は、本発明の実施の形態３に係る顕微鏡装置の概略構成を示す図である。実施の形態３において、実施の形態１と同様の構成には同様の符号を付し、説明を省略する。
【００３７】
実施の形態３にかかる顕微鏡装置１００Ｂにおいて、ベース部１０１ｄの背面側であってステージ１０２の後側固定部１０１ｂの下端に、設置部１０１ｇが一体的に設けられている。設置部１０１ｇは、防振部材からなる第１の脚部１２０の材料より摩擦係数または表面粗さが小さい材料をベース部１０１ｄに接着してもよく、あるいは、ベース部１０１ｄ等の外装を第１の脚部１２０の材料より摩擦係数または表面粗さが小さい材料とし、ベース部１０１ｄと一体的に形成してもよい。設置部１０１ｇは、ポリアセタールのように滑り性が良好で、耐摩耗性が高い材料が好ましい。また、顕微鏡装置１００Ｂでは、背面側の第２の脚部１２１に代えて、防振部材からなる第３の脚部１２０ｂが設けられている。第３の脚部１２０ｂは、実施の形態１の第２の脚部１２１よりも前面側よりに配置されている。
【００３８】
顕微鏡装置１００Ｂを作業室１３２内で移動する際、前面シャッタ１３１を上側に引き上げた後、鏡筒保持部１０１ｃに設けられる把持部１０１ｅを手で持ち上げ、図８に示すように設置部１０１ｇのみが作業台１３３と接するように顕微鏡装置１００Ｂを傾けながら、作業室１３２内に押し入れたり、作業室１３２の奥から開口部１３４側に引き出す。実施の形態３では、設置部１０１ｇを作業台１３３と接触させて顕微鏡装置１００Ｂを移動するため移動が容易となる。また、顕微鏡装置１００Ｂの重心は、設置部１０１ｇと鏡筒保持部１０１ｃとにより形成される三角形の内部に配置されるため、検鏡者は、顕微鏡装置１００を傾けた状態で容易に移動することができる。
【００３９】
（実施の形態４）
実施の形態４にかかる顕微鏡装置は、鏡筒保持部内に観察光を偏向するミラーが配置されるとともに、カメラが着脱自在に取り付けられている。図９は、本発明の実施の形態４に係る顕微鏡装置の概略構成を示す図である。実施の形態４において、実施の形態１と同様の構成には同様の符号を付し、説明を省略する。
【００４０】
実施の形態４にかかる顕微鏡装置１００Ｃにおいて、鏡筒保持部１０１ｃの内部に観察光を偏向するミラー１１４が配置される。また、鏡筒保持部１０１ｃの上面には、カメラ接続部１１６を介してカメラ１１５が着脱可能に取り付けられている。
【００４１】
実施の形態４にかかる顕微鏡装置１００Ｃにおいて、検鏡者は、実施の形態１と同様に、接眼レンズ１１２を介して直接標本を観察する。観察した標本の画像を後に確認したい場合や、論文、説明用途に画像を取得したい場合は、図示しない操作部によりミラー１１４を観察光路内に配置し、ミラー１１４により観察光をカメラ１１５側に偏向する。その後、図示しないカメラ制御部を操作してカメラ１１５により観察像の画像を取得できる。
【００４２】
実施の形態４では、実施の形態１と同様に、ベース部１０１ｄの前面（鏡筒保持部側）の真上にステージ１０２を設けているため、顕微鏡装置１００Ｃを開口部１３４近傍に配置した場合であっても、前面シャッタ１３１を高さが２００ｍｍ以下のステージ１０２に降ろすことができるため、接眼レンズ１１２により直接観察を行いながら、作業室１３２内へのコンタミのリスクを低減することができる。また、平滑部１２１ｂを設けた脚部１２１を有するため、顕微鏡装置１００Ｃの作業室１３２内での移動を容易に行うことができる。
【産業上の利用可能性】
【００４３】
以上のように、本発明にかかる顕微鏡装置は、クリーンベンチや安全キャビネットで使用する小型の顕微鏡装置に有用であり、特に、細胞の観察用途に適している。
【符号の説明】
【００４４】
１００  顕微鏡装置
１０１  顕微鏡本体
１０１ａ  前側固定部
１０１ｂ  後側固定部
１０１ｃ  鏡筒保持部
１０１ｄ  ベース部
１０１ｅ  把持部
１０１ｆ  凹部
１０１ｇ  設置部
１０２  ステージ
１０３  容器
１０４  照明支柱
１０５  照明部
１０６  コンデンサ
１０７  対物レンズ
１０８  レボルバ
１０９  焦準ハンドル
１１０  反射ミラー
１１２  接眼レンズ
１１３  鏡筒
１１４  ミラー
１１５  カメラ
１１６  カメラ接続部
１２０  第１の脚部
１２１  第２の脚部
１２１ａ  第３の脚部
１２１ｂ  平滑部
１３０  クリーンベンチ
１３１  前面シャッタ
１３２  作業室
１３３  作業台
１３４  開口部
１３５  吸気ダクト
【図１】
0006516536.tif 000002
【図２】
0006516536.tif 000003
【図３】
0006516536.tif 000004
【図４】
0006516536.tif 000005
【図５】
0006516536.tif 000006
【図６】
0006516536.tif 000007
【図７】
0006516536.tif 000008
【図８】
0006516536.tif 000009
【図９】
0006516536.tif 000010